(57)【要約】【課題】発光モジュール装置において、複数の発光モジュールを個別制御し、配線を減らし、かつ、発光モジュールへの制御信号の輻射ノイズを抑える。【解決手段】発光モジュール装置１は、マトリクス状に配列された発光モジュール２と、信号生成部３３から発光モジュール２に制御信号を伝送する通信線４とを備える。通信線４は、発光モジュール２の各列毎、各行毎に共有される列通信線４１、行通信線４２で構成され、それらはスイッチ４３、４４を有する。信号生成部３３は、スイッチ４３、４４の開閉制御により、制御対象の発光モジュール２を導通状態とし、それ以外を非導通状態として、制御信号を送信する。これにより、発光モジュール２の個別制御が可能になる。また、通信線４が複数の発光モジュール２に共有されるので、配線が少なくて済む。また、通信線４は制御信号を伝送できればよく、伝送電力が小さくて済むので、制御信号の輻射ノイズが抑えられる。【選択図】図１
2011070924.tif 000002
【特許請求の範囲】
【請求項１】
複数の発光モジュールと、前記発光モジュールを制御するための制御信号を生成する信号生成部と、前記信号生成部から発光モジュールに制御信号を伝送する通信線と、を備えた発光モジュール装置において、
前記発光モジュールは、アレイ状又はマトリクス状に配列されており、該発光モジュールの各々は、前記信号生成部からの制御信号を受信し、その受信した制御信号に基づいて発光モジュールを点灯制御する制御部を有し、
前記通信線は、前記発光モジュールの各列毎に共有される列通信線と、前記発光モジュールの各行毎に共有される行通信線と、により構成され、
前記列通信線及び行通信線の各々は、それらを開閉して導通／非導通状態とするスイッチを有し、
前記信号生成部は、前記スイッチを開閉制御することにより、制御対象の発光モジュールの列通信線及び行通信線を導通状態とし、かつ、それらを除く列通信線及び行通信線を非導通状態とし、制御対象の発光モジュールに制御信号を送信することを特徴とする発光モジュール装置。
【請求項２】
前記信号生成部は、前記スイッチの開閉状態を時間的に変化させることにより、前記複数の発光モジュールを順次、前記信号生成部と導通状態とし、それら発光モジュールに制御信号を送信することを特徴とする請求項１に記載の発光モジュール装置。
【請求項３】
前記複数の発光モジュールの各々は、前記信号生成部から送信された制御信号を、次の制御信号を受信するまで記憶するメモリ部を有することを特徴とする請求項１又は請求項２に記載の発光モジュール装置。
【請求項４】
前記メモリ部は、不揮発性メモリにより構成されることを特徴とする請求項３に記載の発光モジュール装置。
【請求項５】
前記メモリ部は、前記制御信号の格納後、所定の保持時間が経過すると、その制御信号を消失する揮発性を有し、
前記信号生成部は、前記制御信号の送信後、前記保持時間の経過前に、次の制御信号を送信することを特徴とする請求項３に記載の発光モジュール装置。
【請求項６】
請求項１乃至請求項５のいずれか一項に記載の発光モジュール装置を備えた照明器具。
【発明の詳細な説明】
【技術分野】
【０００１】
本発明は、複数の発光モジュールを個別に制御する発光モジュール装置、及びそれを備えた照明器具に関する。
【背景技術】
【０００２】
この種の従来の発光モジュール装置を図１０に示す。この発光モジュール装置１００は、複数の発光モジュール１０１の各々の発光量を一括制御するコントロールボックス１０２を有する。発光モジュール１０１は供給電力に応じて発光量が調整される構成であり、コントロールボックス１０２から各発光モジュール１０１までは、各発光モジュール１０１専用の電力線１０３が配線されている。コントロールボックス１０２は発光モジュール１０１毎に供給電力を制御し、発光量を制御する（例えば、特許文献１参照）。
【０００３】
しかしながら、発光モジュール装置１００においては、複数の発光モジュール１０１を個別に制御することはできるが、電力線１０３がスター型に配線されており、そのため、電力線１０３の数が発光モジュール１０１の数の２倍となり、配線が多いので、製造コストが増加する虞がある。
【０００４】
ところで、発光モジュール装置ではないが、プラズマディスプレイにおいて、プラズマパネルの各箇所の発光量を個別に制御可能とし、かつ、電力線を少なくしたものが知られている。そのプラズマディスプレイを図１１に示す。このプラズマディスプレイ２００においては、プラズマパネル２０１に、列電力線群２０２と行電力線群２０３とが格子状に配置され、列電力線群２０２と行電力線群２０３との間に希ガスが封入されている。列ドライバ２０４及び行ドライバ２０５はそれぞれ選択した列電力線−行電力線間にのみ電圧を印加し、それらの交点を放電発光させる（例えば、特許文献２、３参照）。プラズマディスプレイ２００においては、列ドライバ２０４及び行ドライバ２０５が各発光箇所の放電電圧を個別に調整し、これにより、各発光箇所の発光量が個別に制御される。また、電力線がプラズマパネル２０１の複数の発光箇所で共用されており、このため、電力線の数が少なくて済む。
【０００５】
そこで、プラズマディスプレイ２００の構成を発光モジュール装置に適用し、プラズマパネル２０１の各発光箇所を発光モジュールに置き換えることが考えられる。
【０００６】
しかしながら、そのような発光モジュール装置においては、複数の発光モジュール分の供給電力が電力線を流れ、その電力は大きいので、発光モジュール個別制御のために供給電力を順次変化させると、供給電力に大きな輻射ノイズが乗る虞がある。供給電力はその値に応じて発光モジュールが制御されることから、発光モジュールを制御する制御信号とみなすことができるが、この制御信号に輻射ノイズが重畳されることになり、従って、発光モジュールの制御を高精度に行えないことがある。
【先行技術文献】
【特許文献】
【０００７】
【特許文献１】米国特許第７３４８７３８号明細書
【特許文献２】特開昭５９−２４８９１号公報
【特許文献３】特開平４−３６８９９１号公報
【発明の概要】
【発明が解決しようとする課題】
【０００８】
本発明は、上記の従来の問題を解決するためになされたものであり、複数の発光モジュールに制御信号が伝送される発光モジュール装置において、発光モジュールを個別に制御することができ、配線を減らして製造コストを低減することができ、かつ、制御信号の輻射ノイズを抑えることにより発光モジュールの制御を高精度に行うことができる発光モジュール装置及びそれを備えた照明器具を提供することを目的とする。
【課題を解決するための手段】
【０００９】
上記目的を達成するために請求項１の発明は、複数の発光モジュールと、前記発光モジュールを制御するための制御信号を生成する信号生成部と、前記信号生成部から発光モジュールに制御信号を伝送する通信線と、を備えた発光モジュール装置において、前記発光モジュールは、アレイ状又はマトリクス状に配列されており、該発光モジュールの各々は、前記信号生成部からの制御信号を受信し、その受信した制御信号に基づいて発光モジュールを点灯制御する制御部を有し、前記通信線は、前記発光モジュールの各列毎に共有される列通信線と、前記発光モジュールの各行毎に共有される行通信線と、により構成され、前記列通信線及び行通信線の各々は、それらを開閉して導通／非導通状態とするスイッチを有し、前記信号生成部は、前記スイッチを開閉制御することにより、制御対象の発光モジュールの列通信線及び行通信線を導通状態とし、かつ、それらを除く列通信線及び行通信線を非導通状態とし、制御対象の発光モジュールに制御信号を送信するものである。
【００１０】
請求項２の発明は、請求項１に記載の発光モジュール装置において、前記信号生成部は、前記スイッチの開閉状態を時間的に変化させることにより、前記複数の発光モジュールを順次、前記信号生成部と導通状態とし、それら発光モジュールに制御信号を送信するものである。
【００１１】
請求項３の発明は、請求項１又は請求項２に記載の発光モジュール装置において、前記複数の発光モジュールの各々は、前記信号生成部から送信された制御信号を、次の制御信号を受信するまで記憶するメモリ部を有するものである。
【００１２】
請求項４の発明は、請求項３に記載の発光モジュール装置において、前記メモリ部は、不揮発性メモリにより構成されるものである。
【００１３】
請求項５の発明は、請求項３に記載の発光モジュール装置において、前記メモリ部は、前記制御信号の格納後、所定の保持時間が経過すると、その制御信号を消失する揮発性を有し、前記信号生成部は、前記制御信号の送信後、前記保持時間の経過前に、次の制御信号を送信するものである。
【００１４】
請求項６の発明は、請求項１乃至請求項５のいずれか一項に記載の発光モジュール装置を備えた照明器具である。
【発明の効果】
【００１５】
請求項１の発明によれば、通信線に設けられたスイッチが開閉制御され、制御対象の発光モジュールのみが信号生成部と導通状態となり、信号生成部からその発光モジュールに制御信号が送信されるので、発光モジュールを個別に制御することができる。また、通信線が複数の発光モジュールに共有されるので、配線を減らして製造コストを低減することができる。また、通信線は制御信号を伝送できればよく、伝送電力が小さくて済むので、輻射ノイズが小さくなり、従って、制御信号への輻射ノイズの影響を抑えることができ、このため、発光モジュールの制御を高精度に行うことができる。
【００１６】
請求項２の発明によれば、スイッチの開閉により発光モジュールが順次、導通状態となるので、発光モジュールに個体識別のためのＩＤを付与する必要がなく、ＩＤを記憶するメモリ等を発光モジュールに持たせる必要がないので、製造コストの低減を図ることができる。
【００１７】
請求項３の発明によれば、次の制御信号を受信するまで、現在の制御信号に基づいて発光モジュールを制御することができるので、時間的に連続的した制御が可能となる。
【００１８】
請求項４の発明によれば、メモリ部への電力供給が停止しても、メモリ部は制御信号を記憶しているので、その制御信号に基づく発光モジュールの設定を維持することができる。
【００１９】
請求項５の発明によれば、メモリ部は簡単な構成の充放電回路で済むので、安価となる。
【００２０】
請求項６の発明によれば、請求項１乃至請求項３のいずれかと同等の効果を得ることができる。
【図面の簡単な説明】
【００２１】
【図１】本発明の一実施形態に係る発光モジュール装置の回路図。
【図２】（ａ）は上記装置の発光モジュールの斜視図、（ｂ）はその分解斜視図。
【図３】上記発光モジュールの電気的ブロック図。
【図４】上記装置の列スイッチ及び行スイッチの動作チャート。
【図５】（ａ）乃至（ｅ）は上記発光モジュールが制御対象として順次選択される様子を時系列に示す図。
【図６】上記装置において複数の発光モジュールが制御対象として選択された様子を示す図。
【図７】（ａ）は上記装置における発光モジュールへの制御信号波形図、（ｂ）は上記の一変形例に係る制御信号波形図、（ｃ）は上記とは別の変形例に係る制御信号波形図。
【図８】（ａ）は上記実施形態の一変形例に係る発光モジュール装置の発光モジュールの回路図、（ｂ）はその回路の各部の電圧波形を示す図。
【図９】上記装置を備えた照明器具の斜視図。
【図１０】従来の発光モジュール装置の回路図。
【図１１】従来のプラズマディスプレイの回路図。
【発明を実施するための形態】
【００２２】
以下、本発明の一実施形態に係る発光モジュール装置について図面を参照して説明する。図１は、本実施形態に係る発光モジュール装置の構成を示す。この発光モジュール装置１は、複数の発光モジュール２と、発光モジュール２に制御信号を送信するモジュール駆動回路３と、モジュール駆動回路３から発光モジュール２に制御信号を伝送する通信線４とを備える。発光モジュール２は、例えば４行４列のマトリクス状に配列される。モジュール駆動回路３は、モジュール駆動回路３から導出された電力線５により、各発光モジュール２に駆動電力を供給する。通信線４は、発光モジュール２の各列毎に共有される列通信線４１と、発光モジュール２の各行毎に共有される行通信線４２とにより構成される。列通信線４１及び行通信線４２は、それぞれ、列通信線４１、行通信線４２を開閉して導通／非導通状態とする列スイッチ４３、行スイッチ４４（以下、スイッチ４３、４４という）を有する。
【００２３】
モジュール駆動回路３は、制御回路３１と、電力調整回路３２とを有する。制御回路３１は、スイッチ４３、４４を個別に開閉制御し、制御対象の発光モジュール２に制御信号を送信する。電力調整回路３２は、外部電源から受電し、発光モジュール２及び制御回路３１に電力を適当な値に調整して供給する。制御回路３１は、発光モジュール２への制御信号と、スイッチ４３、４４を開閉制御する開閉信号とを生成する信号生成部３３と、信号生成部３３により生成された開閉信号に基づいてスイッチ４３、４４を開閉制御するスイッチ制御部３４とを有する。信号生成部３３は、スイッチ４３、４４を個別に開閉制御することにより、制御対象の発光モジュール２の列通信線４１及び行通信線４２を導通状態とし、かつ、それらを除く列通信線及び行通信線を非導通状態とする。これにより、制御対象の発光モジュール２のみが信号生成部３３と導通状態となり、この状態で、信号生成部３３は、制御対象の発光モジュール２に対する制御信号を送信する。その結果、この送信された制御信号は、制御対象の発光モジュール２にのみ到達する。
【００２４】
上記制御信号は、発光モジュール２の点灯／消灯、調光比、又はフェードイン／アウト動作若しくは点滅スピード等の動作パターン等を指定する情報を含む。電力調整回路３２は、電力供給のため、電流源として発光モジュール２に電流を供給していても、又は電圧源として電圧を印加していてもよい。
【００２５】
列通信線４１と行通信線４２とは互いに交差するように格子状に配線されている。各列通信線４１は、ペア線である通信線４の一方から分岐して成り、各行通信線４２は、他方からから分岐して成る。列通信線４１及び行通信線４２の数は各４本ずつで合計８本であり、スター型配線の場合の１６対（３２本）の１／４となる。スイッチ４３、４４は、列通信線４１、行通信線４２をモジュール駆動回路３との間で導通／非導通な状態とする。スイッチ４３、４４は、ＦＥＴ又はＩＧＢＴ等のスイッチング素子により構成される。
【００２６】
電力線５は、発光モジュール２の各列毎に共有され、列毎に発光モジュール２にバス型配線されている。電力線５は、通信線４とは別個に設けられている。
【００２７】
図２（ａ）（ｂ）は、発光モジュール２の構成を示す。発光モジュール２は、有機ＥＬパネル等により構成される発光素子２１と、電力線５からの供給電力に基づいて駆動し、通信線４からの制御信号に基づいて発光素子２１を点灯制御する点灯制御回路２２（制御部）と、これらを収容する略箱状のケース２３及びその蓋体２４とを有する。点灯制御回路２２は、電力線５が接続される電力線コネクタ２２ａと、列通信線４１及び行通信線４２がそれぞれ接続される通信線コネクタ２２ｂ、２２ｃとを有する。電力線コネクタ２２ａ、通信線コネクタ２２ｂ、２２ｃはケース２３から露出している。ケース２３には光照射口２３ａが形成されている。
【００２８】
図３は、発光モジュール２の電気的構成を示す。点灯制御回路２２は、発光素子２１への供給電力を調整する電力調整部２５と、通信線４からの制御信号に基づいて電力調整部２５の電力調整動作を制御し、発光素子２１の発光状態を制御する制御部２６と、電力線５からの供給電力を基に駆動電圧Ｖｃｃを生成し、制御部２６に印加するＶｃｃ生成部２７とを有する。Ｖｃｃ生成部２７は電力調整部２５にも駆動電圧を印加する。
【００２９】
制御部２６は、ＣＰＵ２６ａと、メモリ部２６ｂとにより構成される。ＣＰＵ２６ａは、信号生成部３３から送信された制御信号を通信線４を介して受信し、その受信した制御信号をメモリ部２６ｂに格納する。メモリ部２６ｂは、フラッシュメモリ、強誘電体メモリ、又は磁性ランダムアクセスメモリ等の不揮発性メモリにより構成される。メモリ部２６ｂは、ＣＰＵ２６ａに格納された制御信号を、少なくとも、次の制御信号をＣＰＵ２６ａが受信してメモリ部２６ｂに格納するまで記憶する。
【００３０】
ＣＰＵ２６ａは、メモリ部２６ｂに格納した制御信号を読み出し、その制御信号内の情報に基づいて、電力調整部２５に電力調整を指示するための指示信号を生成し、電力調整部２５に送出する。上述の指示信号は例えばＰＷＭ信号とする。ＣＰＵ２６ａによる上述の制御信号読み出し、及び指示信号の送出は、通信線４から次の制御信号を受信するまで繰り返される。
【００３１】
電力調整部２５は、ＣＰＵ２６ａから送出された指示信号に基づいて発光素子２１への印加電圧又は供給電流を調整し、発光素子２１を、上記制御信号により指定された状態とする。供給電圧又は供給電流の調整は例えばそのＰＷＭ制御により行う。
【００３２】
図４は、信号生成部３３により開閉制御されたスイッチ４３、４４の動作を示し、図５（ａ）〜（ｅ）は、信号生成部３３による制御対象となる発光モジュール２を時系列に示す。ここで、発光モジュール２の１列目から４列目までの列通信線４１をこの順に列通信線４１ａ〜４１ｄといい、１行目から４行目までの行通信線４２をこの順に行通信線４２ａ〜４２ｄという。また、列通信線４１ａ〜４１ｄの各々に設けられた列スイッチ４３を列スイッチ４３ａ〜４３ｄと称し、行通信線４２ａ〜４２ｄの各々に設けられた行スイッチ４４を行スイッチ４４ａ〜４４ｄと称する。図４において、列スイッチ４３ａ〜４３ｄ及び行スイッチ４４ａ〜４４ｄの閉状態は導通状態を示し、開状態は非導通状態を示す。また、図５において、制御対象、すなわち、制御信号の送信先として選択される発光モジュール２には斜線を付す。
【００３３】
信号生成部３３は、列スイッチ４３ａ〜４３ｄ及び行スイッチ４４ａ〜４４ｄのそれぞれの開閉状態を時間的に変化させることにより、発光モジュール２を時系列的に順次、信号生成部３３と導通状態とし、それら発光モジュール２に制御信号を送信する。
【００３４】
ここで、制御信号の送信対象、すなわち、制御対象が、発光モジュール２の配列順に、例えば、１行目から４行目まで、各行毎に１列目から４列目の順に変わるとする。この場合、まず、１行目で１列目の発光モジュール２Ａが最初の制御対象に選択され（図５（ａ）参照）、列スイッチ４３ａ及び行スイッチ４４ａは閉じ、これにより、発光モジュール２Ａは信号生成部３３と導通状態となる。このとき、列スイッチ４３ａ〜４３ｄ及び行スイッチ４４ｂ〜４４ｄは開き、制御対象を除く発光モジュール２は信号生成部３３と非導通状態となる。そして、発光モジュール２Ａに制御信号が送信される。各発光モジュール２の導通期間は予め設定されており、例えば略１［μｓ］である。
【００３５】
発光モジュール２Ａの導通期間が経過すると、１行目で２列目の発光モジュール２Ｂが制御対象に選択され（図５（ｂ）参照）、行スイッチ４４ａは閉状態を維持したまま、列スイッチ４３ｂが開く。そして、列スイッチ４３ａ、４３ｃ、４３ｄ及び行スイッチ４４ｂ〜４４ｄは閉状態となる。これにより、発光モジュール２Ｂのみが導通状態となり、この発光モジュール２Ｂに制御信号が送信される。そして、他の発光モジュール２にも、発光モジュール２Ａ、２Ｂと同様の仕方で、順次、制御信号が送信される（図５（ｃ）〜（ｅ））。
【００３６】
図６に示されるように、複数の発光モジュール２が同時に制御対象とされてもよい。この場合、列スイッチ４３ａ〜４３ｄの群と行スイッチ４４ａ〜４４ｄの群のうち、一方の群内の１つが閉じられ、他方の群内の複数が閉じられるか、又は、両方の群内の複数が閉じられ、複数の発光モジュール２が導通状態となる。そして、これら発光モジュール２に同じ制御信号が同時に送信される。このような制御は、例えば、全ての発光モジュール２を一斉に、又は発光モジュール２を列毎又は行毎に、点灯、調光、消灯、若しくは点滅させるときに行われる。
【００３７】
図７（ａ）は、信号生成部３３から発光モジュール２に送信される制御信号波形を示す。制御信号はＰＷＭ信号であり、この制御信号においては、１パルスの最大幅となる所定期間ｔ０内でオンとなる期間ｔｍが設定される。これにより、制御信号は、例えば調光率が（ｔ０−ｔｍ）／ｔ０又はｔｍ／ｔ０となるように指示する信号となる。
【００３８】
制御信号は、図７（ｂ）に示されるように、所定期間ｔ０を時間的に分割し、その分割された各期間のオンとオフとをそれぞれ１と０とに割り当てたデジタル信号であってもよい。図示した制御信号の場合、４ビットの信号送信が可能となり、これを調光信号とすると、１６段階の調光信号送信が可能となる。制御信号は、図７（ｃ）に示されるように、制御情報に応じて信号の振幅値を変調されたアナログ信号であっても構わない。この制御信号は、最大振幅Ｉ０以下の振幅Ｉｍが設定され、例えば調光率が（Ｉ０−Ｉｍ）／Ｉ０又はＩｍ／Ｉ０となるように指示する信号となる。
【００３９】
上記のように構成された本実施形態の発光モジュール装置１においては、通信線４に設けられたスイッチ４３、４４が開閉制御され、制御対象の発光モジュール２のみが信号生成部３３と導通状態となり、信号生成部３３からその発光モジュールに制御信号が送信されるので、発光モジュール２を個別に制御することができる。
【００４０】
また、通信線４が複数の発光モジュール２に共有され、必要な通信線４の数は発光モジュール２の列数と行数の合計で済むので、例えば、発光モジュールに通信線をスター型に配線することにより通信線の数が発光モジュールの２倍となる場合と比べ、電力線５の数を減らすことができ、製造コストの低減を図ることができる。また、電力線５の数が少なくて済むので、配線の自由度が高まる。
【００４１】
また、通信線４は制御信号を伝送できればよく、伝送電力が小さくて済むので、輻射ノイズが小さくなり、従って、制御信号への輻射ノイズの影響を抑えることができる。このため、発光モジュール２の制御を高精度に行うことができる。
【００４２】
また、発光モジュール２に個体識別のためのＩＤを付与する必要がなく、ＩＤを記憶するメモリ等を発光モジュール２に持たせる必要がないので、製造コストの低減を図ることができる。
【００４３】
また、メモリ部２６ｂが次の制御信号を受信するまで現在の制御信号を格納しているので、そのときまで、現在の制御信号に基づいて発光モジュールを制御することができ、従って、時間的に連続的した制御が可能となる。また、メモリ部２６ｂは不揮発性メモリにより構成されるので、メモリ部２６ｂへの電力供給が停止しても、メモリ部２６ｂは制御信号を記憶しているので、その制御信号に基づく発光モジュール２の設定を維持することができる。
【００４４】
また、制御信号がパルス列から成る場合、従来においては、各発光モジュールへの供給電力に制御信号が重畳されるので、そのための大電力スイッチングが必要となり、エネルギ損失が大きかったが、本実施形態においては、制御信号は通信線により伝送され、従って、制御信号の電力値は少なくて済むので、制御信号生成に必要なスイッチング動作においてエネルギ損失が殆んどない。
【００４５】
次に、上記実施形態の一変形例に係る発光モジュール装置について図８（ａ）（ｂ）を参照して説明する。図８（ａ）（ｂ）は、本変形例の発光モジュール２の回路構成と、その回路の各部の電圧波形とを示す。本変形例における発光モジュール２の点灯制御回路２２の制御部２６は、上記実施形態のＣＰＵ２６ａ及びメモリ部２６ｂの替わりとして、充放電回路により構成される（メモリ部）。この充放電回路は、信号生成部３３から入力される制御信号Ｖａを所定の保持時間だけ記憶し、その記憶している制御信号Ｖａに基づいて電力調整部２５を駆動制御し、発光素子２１への出力電圧Ｖｏｕｔを調整する。充放電回路は、上記保持時間が経過すると、その制御信号を消失する揮発性を有する。信号生成部３３は、発光モジュール２へ制御信号を送信した後、上記保持時間の経過前に次の制御信号を送信し、制御部２６が制御信号を消失しないようにする。すなわち、発光モジュール２への制御信号の送信サイクルＴが上記保持時間と略等しくなるように予め設定されている。
【００４６】
制御部２６は、コンデンサＣ１と、制御信号Ｖａに応じてコンデンサＣ１を充放電させるトランジスタＴｒ１と、コンデンサＣ１の充放電期間を調整するための抵抗Ｒ１、Ｒ２とを有する。電力調整部２５は、コンデンサＣ１の充放電電圧Ｖｃａｐを入力信号とするトランジスタＴｒ２により構成され、充放電電圧Ｖｃａｐに応じて発光素子２１への出力電圧ＶｏｕｔをＰＷＭ制御する。
【００４７】
制御信号ＶａはＨｉｇｈとＬｏｗの２値を有するＰＷＭ信号であり、トランジスタＴｒ１のベースに入力される。コンデンサＣ１はトランジスタＴｒ１のコレクタに接続され、接地されている。抵抗Ｒ１はコンデンサＣ１と並列に接続されている。抵抗Ｒ２はトランジスタＴｒ１のエミッタに接続され、そのエミッタに、コンデンサＣ１を充電するための駆動電圧ＶｃｃがＶｃｃ生成部２７から抵抗Ｒ２を介して印加されている。発光素子２１はトランジスタＴｒ２のコレクタに接続され、そのエミッタに発光素子２１を駆動するための駆動電圧ＶｄがＶｃｃ生成部２７から印加されている。
【００４８】
制御信号ＶａがＨｉｇｈ電位になると、トランジスタＴｒ１は導通状態となり、駆動電圧Ｖｃｃは抵抗Ｒ２により分圧されてコンデンサＣ１に印加される。コンデンサＣ１に充電される電荷量は制御信号Ｖａのパルス幅に応じた値となる。ここで、抵抗Ｒ１、Ｒ２の抵抗値を、それぞれ、ｒ１、ｒ２とする。充電されたコンデンサＣ１は、ｒ１／ｒ２倍の時間をかけて放電する。ｒ１／ｒ２の値は、全ての発光モジュール２の発光素子２１を走査するのに要する周期、すなわち、制御信号の送信サイクルＴとの関係により決定されている。この周期は、発光モジュール２が制御信号を受信したときから次のサイクルで再び制御信号を受信するまでの期間である。発光モジュール２の数が１６個の場合、ｒ１／ｒ２は１６倍程度とするのが望ましい。
【００４９】
トランジスタＴｒ２は、コンデンサＣ１の充放電電圧Ｖｃａｐが所定の閾値Ｖｔよりも低いときのみ導通し、発光モジュール２への出力電圧Ｖｏｕｔの波形は、制御信号の送信サイクルＴに対してＴ1のオフ期間と（Ｔ−Ｔ1）のオン期間とから成るＰＷＭ信号波形となる。この信号により発光モジュール２１は駆動される。
【００５０】
上記のように構成された制御部２６においては、信号生成部３３からの制御信号Ｖａを基に、発光モジュール２への出力信号がＰＷＭ制御され、この出力信号の周期はメモリ部２６ｂの充放電機能により延ばされており、信号生成部３３による制御信号の送信サイクルＴと略等しくされる。従って、制御部２６は制御信号をその送信サイクルＴの期間だけ格納していたとみなすことができる。このように、制御信号を記憶させる制御部２６は、簡単な構成の充放電回路で済むので、安価となる。
【００５１】
次に、上記実施形態又は変形例に係る発光モジュール装置１を備えた照明器具について図９を参照して説明する。図９は、この照明器具の構成を示す。この照明器具１０は、例えばペンダントライトとして構成され、天井に設置される。照明器具１０は、複数の発光モジュール２から成る発光部１１を有する。発光部１１は、光照射口を有する灯具ケース１２に収容される。モジュール駆動回路３、通信線４及び電力線５は、灯具ケース１２内に収容される。灯具ケース１２は、商用電源からモジュール駆動回路３に給電する電源コード１３によって吊具１４から吊下される。吊具１４は、天井面に取り付けられる。吊具１４は、その表面にリモコン受光部１５を有する。リモコン受光部１５は、リモコン（図示せず）から送信されるリモコン信号を受信し、そのリモコン信号を通信線を用いてモジュール駆動回路３に入力する。モジュール駆動回路３の制御回路３１は、その入力されたリモコン信号に応じて発光モジュール２の点灯、消灯、調光等を制御する。
【００５２】
上記のように構成された照明器具１０においては、複数の発光モジュール２を個別に発光制御することができるので、発光モジュール２の輝度のばらつきを抑制することができる。
【００５３】
なお、本発明は、上記実施形態及び変形例の構成に限定されるものでなく、使用目的に応じ、様々な変形が可能である。例えば、発光モジュール２はアレイ状に配列されていてもよい。また、発光モジュール２の発光体は、発光モジュール、白熱電球又は蛍光灯でもよく、信号通信により動作を制御可能な発光体であればよい。また、発光モジュール２の制御信号は、発光モジュール２の配列順ではなく、ランダムに送信されても構わない。また、上記制御信号は、ＵＡＲＴ（Universal  Asynchronous  Receiver  Transmitter）等の非同期式シリアル通信回路により生成されたデジタル伝送データであってもよい。また、スイッチ４３、４４は制御回路３１に搭載されていても構わない。また、電力調整回路３２が設けられず、発光モジュール２又は制御回路３１は外部電源から直接に給電されていてもよい。また、上記変形例のメモリ部２６ｂと同等の構成を有する回路がＣＰＵ２６ａの前段に設置され、その回路の出力が制御信号としてＣＰＵ２６ａに入力されても構わない。
【符号の説明】
【００５４】
１  発光モジュール装置
１０  照明器具
２  発光モジュール
２２  点灯制御回路（制御部）
２６  制御部（メモリ部を構成）
２６ｂ  メモリ部
３３  信号生成部
４  通信線
４１、４１ａ〜４１ｄ  列通信線
４２、４２ａ〜４２ｄ  行通信線
４３、４３ａ〜４３ｄ  列スイッチ
４４、４４ａ〜４４ｄ  行スイッチ
【図１】
2011070924.tif 000003
【図２】
2011070924.tif 000004
【図３】
2011070924.tif 000005
【図４】
2011070924.tif 000006
【図５】
2011070924.tif 000007
【図６】
2011070924.tif 000008
【図７】
2011070924.tif 000009
【図８】
2011070924.tif 000010
【図９】
2011070924.tif 000011
【図１０】
2011070924.tif 000012
【図１１】
2011070924.tif 000013